(57)【特許請求の範囲】
【請求項１】
建物の天井構造に本体箱体が設置され、この本体箱体の天井面に沿う面には開閉可能の開閉パネルを備えた天井設置形機器において、前記本体箱体に一対一組の対向する突起を間隔をおいて二組設け、前記開閉パネルには前記各突起に水平方向へ所定量Ｌの移動を許容して係合する一対二組のスリット状の係合部を設け、この係合部の対向する一組については垂直方向への開放部分を持たない長孔とし、他の一組については所定量Ｌ内において前記突起が抜出する開放部を設け、この開放部を前記係合部に続く垂直方向部分と、この垂直方向部分に略水平方向に続く中間保持部分とで構成し、この中間保持部分での前記突起との係合により前記開閉パネルを半開きの状態に保持できるようにした開閉パネルの開閉構造。
【請求項２】
請求項１に記載の天井設置形機器の開閉パネルの開閉構造であって、中間保持部分の端に突起の抜出を一旦規制するストッパ構造を設けた開閉パネルの開閉構造。
【請求項３】
請求項１又は請求項２のいずれかに記載の天井設置形機器の開閉パネルの開閉構造であって、中間保持部分の上縁を突起の抜け方向に下がる勾配を付けた開閉パネルの開閉構造。
【請求項４】
請求項１〜請求項３までのいずれかに記載の天井設置形機器の開閉パネルの開閉構造であって、中間保持部分の開放端を開先形状に構成した開閉パネルの開閉構造。
【請求項５】
請求項１〜請求項４までのいずれかに記載の天井設置形機器の開閉パネルの開閉構造であって、開放部を持つ係合部の端の上側に突起が収まるレスト部を設け、このレスト部の上縁を突起の抜け側に向って下り勾配とした開閉パネルの開閉構造。
【発明の詳細な説明】
【０００１】
【発明の属する技術分野】
本発明は、建物の天井構造に本体箱体が設置され、この本体箱体の天井面に沿う面には開閉可能の開閉パネルを備えた天井設置形機器における開閉パネルの開閉構造に関するものである。
【０００２】
【従来の技術】
建物の天井構造に設置される天井設置形機器としては、換気装置等、空調機器が多いが、この種の機器では天井面に沿って開閉可能の開閉パネルを備えている。開閉パネルは、室内側意匠を構成し、機能的には吸排気路端を画成したり、点検口の蓋の役目を果していることが多い。この開閉パネルの開閉構造は、開閉パネルの質量が比較的小さい場合には、本体箱体側に取付けた開脚状の吊りバネに係合する長孔が採用されているが、鋼板製などで質量が大きい場合には例えば、実開昭５８―１７２７２６号公報に示されているような開閉構造が適用されている。
【０００３】
この開閉構造は、本体箱体の下部の開口部に設けられた対向する一対二組の突起に係合する略Ｌ字状のスリットを開閉パネルの垂直壁部分に設けたものである。一組のスリットは突起に対して開閉パネルを回動可能に支持し、他の一組のスリットは、突起の抜出をバネの押圧力とストッパー部により規制しながら抜出可能に支持している。開閉パネルは、通常においては二組の突起にスリットが係合し、略水平状態に支持され、バネの押圧力とストッパー部により開放が規制されている。そして、バネの押圧力に抗して開閉パネルを押し上げストッパー部から突起を越えさせれば、開閉パネルは自由状態になり、一組のスリットに係合している突起により支持され垂下状態に開放させることができる。
【０００４】
【発明が解決しようとする課題】
上記した従来の開閉パネルの開閉構造においては、開閉パネルに押し上げる方向と抜側への水平方向の力が合わさってかかった場合、開閉パネルは自由状態となり自重で一気に開放状態になる。点検時等では手で支えながら開放させるのでさほど問題はないものの、例えば、体育館などでは球技のボールが当たったような場合、突起が抜出して一気に開放状態になり開放グリルが破損するような問題点がある。また、悪戯で棒などで突いたりした場合でも同様なことが起き得る。
【０００５】
本発明は、係る従来の問題点を解決するためになされたものであって、その課題とするところは、中間開度の状態で一旦保持できる構成の簡素な天井設置形機器の開閉パネルの開閉構造を得ることであり、その閉止操作を容易にし扱い易くすることであり、正規の取付状態でないことが視認により分かる天井設置形機器の開閉パネルの開閉構造を得ることである。
【０００６】
【課題を解決するための手段】
前記課題を達成するために請求項1の発明は、建物の天井構造に本体箱体が設置され、この本体箱体の天井面に沿う面には開閉可能の開閉パネルを備えた天井設置形機器において、本体箱体に一対一組の対向する突起を間隔をおいて二組設け、開閉パネルには各突起に水平方向へ所定量Ｌの移動を許容して係合する一対二組のスリット状の係合部を設け、係合部の対向する一組については垂直方向への開放部分を持たない長孔とし、他の一組については所定量Ｌ内において突起が抜出する開放部を設け、この開放部を係合部に続く垂直方向部分と、垂直方向部分に略水平方向に続く中間保持部分とで構成し、中間保持部分での突起との係合により開閉パネルを半開きの状態に保持できるようにする手段を採用する。
【０００７】
前記課題を達成するために請求項２の発明は、請求項１に係る前記手段における中間保持部分の端に、突起の抜出を一旦規制するストッパ構造を設ける手段を採用する。
【０００８】
前記課題を達成するために請求項３の発明は、請求項１又は請求項２のいずれかに係る前記手段における中間保持部分の上縁を、突起の抜け方向に下がる勾配を付ける手段を採用する。
【０００９】
前記課題を達成するために請求項４の発明は、請求項１〜請求項３までのいずれかに係る前記手段における中間保持部分の開放端を、開先形状に構成する手段を採用する。
【００１０】
前記課題を達成するために請求項５の発明は、請求項１〜請求項４までのいずれかに係る前記手段における開放部を持つ係合部の端の上側に、突起が収まるレスト部を設け、レスト部の上縁を突起の抜け側に向って下り勾配とする手段を採用する。
【００１１】
【発明の実施の形態】
実施の形態１．
図１〜図６によって示す本実施の形態は、建物の天井構造１に本体箱体２が設置され、この本体箱体２の天井面に沿う面には開閉可能の開閉パネル３を備えた天井設置形の空調換気装置４に関するものである（図２，図３参照）。この空調換気装置４の本体箱体２は、図１に示すように下面の開放した六面体の箱体として構成され、内部には二系統の通風路と、この各通風路の一部を構成する熱交換器５及び、各通風路に空気流を形成する送風機６とが組込まれ、その下面は天井面に沿って開放される。本体箱体２の開放部分は点検時に開放させる鋼板製の開閉パネル３が装着されている。
【００１２】
この開閉パネル３は、図４に示すように本体箱体２の開放部分の投影平面積ほどの大きさに形成され、対向する二辺縁には本体箱体２の開放部分の内壁に沿って入り込む立上り８が設けられている。各立上り８の両端部は、立上り寸法が大きくなっていて、それぞれに水平方向へ所定量Ｌの長さを持つスリット状の係合部９が設けられている。対向する一対一組の係合部９は、垂直方向への開放部分を持たない長孔で構成され、他の一組については図５に示すように所定量Ｌの長さの外寄りに上方に向って開放する開放部１０が設けられ、長孔の係合部９より若干下位に構成されている。開放部１０は、係合部９に続く垂直方向部分１１と、この垂直方向部分１１に係合部９に沿って略水平方向に続く中間保持部分１２とで構成されている。
【００１３】
中間保持部分１２の開放側端には下向きに突出するストッパ構造１３が設けられており、ストッパ構造１３の外縁において開放している。ストッパ構造１３の外縁とこれに対向する縁部とにより形成される開放端１４は、略９０度ほどの角度の開先形状に構成されている。ストッパ構造１３の外縁に対向する縁部の斜面１５の下端は、ストッパ構造１３より少し内側に位置している（図５参照）。各係合部９の反開放部側端の上側には、長孔の係合部９の高さ位置に凹状のレスト部１９が設けられている。このレスト部１９はその上縁の開放部１０寄り部分が、開放部１０に向って下り勾配となる斜面２０に構成されている。
【００１４】
上述したような取付構造を持つ開閉パネル３は、本体箱体２の開放部分に立上り８が入込む状態に合わされ、本体箱体２の下縁から長孔の各係合部９の外側端位置と、他の二個の係合部９のレスト部１９に突起２１を構成するピンが貫き通され、これら四本のピンにより略水平に支持される（図４参照）。
【００１５】
この状態の開閉パネル３を開放するには、図６に示すように開閉パネル３の開放部１０の有る係合部９側を持上げレスト部１９から突起２１を抜出させ、長孔の係合部９側へ水平方向にスライドさせる。これにより突起２１は、開放部１０の垂直方向部分１１に位置し、そのまま手で開閉パネル３を保持しながら下げてやると、図６のＢに示すように中間保持部分１２に突起２１が当たり、開閉パネル３は長孔の係合部９に係合している突起２１を中心に回動して半開きの状態になる。この半開きの状態は、開閉パネル３を支えていなくても保持される。半開きの状態の開閉パネル３を少し持上げながらストッパ構造１３から突起２１をのり越えさせれば、突起２１はストッパ構造１３の外縁とこれに対向する縁部とにより形成される開放端１４に位置し、開閉パネル３を自由垂下状態まで手で支えながら開放させることができる（図６のＣ参照）。
【００１６】
レスト部１９から突起２１の位置を外すには、レスト部１９の上縁が斜面２０に形成されているため、必ずしも持上げなくても開閉パネル３をスライドさせるだけでも行うことができる。略水平状態に支持された開閉パネル３に、レスト部１９から突起２１が抜け、係合部９の開放部１０に突起２１が位置するような力がなんらかの理由で掛かっても、開閉パネル３は中間保持部分１２において突起２１と当たり、中間開度で保持されることになり、一気に全開になるようなことはない。この状態は視認で明確に分かるため、正規の状態に容易に復帰させることができる。開閉パネル３の中間開度の状態は、突起２１がストッパ構造１３を越えなければ解除されないため安定している。
【００１７】
開放状態の開閉パネル３を正規の状態に戻すには、開閉パネル３の開放側を持上げていくと、ストッパ構造１３の外縁とこれに対向する縁部とにより形成される開放端１４に突起２１が位置し、ストッパ構造１３の外縁の斜面１５に当たる。開閉パネル３を持上げそのまま押込むようにしてやれば、開放部１０から係合部９に突起２１が位置し、そのまま開放時とは逆方向へスライドさせ開閉パネル３への持上げ力を解除させれば、レスト部１９に突起２１が係合し、正規の取付状態となる。この開閉パネル３の閉止については、開放端１４が開先状になっているため、突起２１との相対位置が一意的になっていなくても開閉パネル３側のスライドにより適性位置に誘導でき、しかもストッパ構造１３の外縁に対向する斜面１５に突起２１が当たるため、ストッパ構造１３の妨害を受けることなく円滑に行うことができる。
【００１８】
実施の形態２．
図７によって示す本実施の形態は、実施の形態１で示した開閉パネルにおける開放部の中間保持部分に係るものであり、これに係る構成以外は、実施の形態１のものと同じである。従って、実施の形態１のものと同じ部分については実施の形態１のものと同じ符号を用い、それらについての説明は省略する。
【００１９】
本実施の形態の開閉パネル３は、開放部１０の中間保持部分１２の上縁に、突起２１の抜け方向に下がる勾配２２が付けられている。この勾配２２によりストッパ構造１３無しに、開閉パネル３の中間開度での保持が可能になり、中間開度からの開放操作も、一旦少し持上げてスライドさせるといった二操作をしなくても、開閉パネル３のスライド操作だけで済み、操作性が良くなる。これ以外の構成及び機能は実施の形態１のものと同じである。
【００２０】
【発明の効果】
請求項１の発明によれば、中間開度の状態で一旦保持できる構成の簡素な天井設置形機器の開閉パネルの開閉構造が得られる。そして、正規の取付け状態でないことが視認により容易に分かり、保守し易い。
【００２１】
請求項２の発明によれば、請求項１に係る前記効果とともに中間開度の状態を確り保持することができる。
【００２２】
請求項３の発明によれば、請求項１又は請求項２のいずれかに係る前記効果とともに開放に係る操作性が向上する。
【００２３】
請求項４の発明によれば、請求項１〜請求項３までのいずれかに係る前記効果とともに開閉パネルの復帰操作が容易になる。
【００２４】
請求項５の発明によれば、請求項１〜請求項４までのいずれかに係る前記効果とともに開閉パネルの正規の取付状態の安定性が増すとともに、開放操作もし易くなる。
【図面の簡単な説明】
【図１】  実施の形態1の空調換気装置の透視斜視図である。
【図２】  実施の形態1の空調換気装置を取付状態で示す正面図である。
【図３】  図２の空調換気装置の開閉パネルを開けた状態の正面図である。
【図４】  実施の形態1の空調換気装置の開閉パネルの斜視図である。
【図５】  図４のイ矢印部の拡大正面図である。
【図６】  実施の形態1の空調換気装置の開閉パネルの開放操作を示す正面図である。
【図７】  実施の形態２の空調換気装置の開閉パネルの要部の拡大正面図である。
【符号の説明】
１  天井構造、  ２  本体箱体、  ３  開閉パネル、  ９  係合部、  １０  開放部、  １１  垂直方向部分、  １２  中間保持部分、  １３  ストッパ構造、  １４  開放端、  １５  斜面、  １９  レスト部、  ２０  斜面、  ２１  突起、  ２２  勾配。
【図１】
0004459474.tif 000002
【図２】
0004459474.tif 000003
【図３】
0004459474.tif 000004
【図４】
0004459474.tif 000005
【図５】
0004459474.tif 000006
【図６】
0004459474.tif 000007
【図７】
0004459474.tif 000008